(57)【要約】【課題】造血器腫瘍（特にＡＭＬやＡＬＬ等の急性白血病）の治療に有効な新規な造血器腫瘍治療剤を提供すること、またはその治療薬を見出すためのスクリーニング方法を提供することを主な課題とする。【解決手段】本発明として、例えば、ＭＬＬ／ＡＦ９キメラ遺伝子が過剰発現する造血幹細胞を移植された免疫応答性の病態モデル動物（例、病態モデルマウス）を用いて、造血器腫瘍の治療のためのＳＭＳ２阻害薬を見出すことを特徴とするスクリーニング方法、ＳＭＳ２遺伝子がノックアウトされている免疫応答性の動物に、ＭＬＬ／ＡＦ９キメラ遺伝子が過剰発現する造血幹細胞が移植されていることを特徴とする病態モデル動物、ＳＭＳ２阻害薬などを有効成分として含有することを特徴とする造血器腫瘍治療剤を挙げることができる。  本発明スクリーニング方法によれば、抗腫瘍免疫活性を亢進させ、造血器腫瘍を治療し得るＳＭＳ２阻害薬を見出すことができる。【選択図】図１
2018162974.tif 000002
【特許請求の範囲】
【請求項１】
ＭＬＬ／ＡＦ９キメラ遺伝子が過剰発現する造血幹細胞を移植された免疫応答性の病態モデル動物を用いて、造血器腫瘍の治療のためのＳＭＳ２（スフィンゴミエリン合成酵素２）阻害薬を見出すことを特徴とする、スクリーニング方法。
【請求項２】
前記造血幹細胞が、次の１〜４の工程を含む方法により樹立されたものである、請求項１に記載のスクリーニング方法。
１：動物の骨髄細胞に含まれる造血幹細胞を採取し、かかる幹細胞にＭＬＬ／ＡＦ９キメラ遺伝子を移入し、当該遺伝子が過剰発現する細胞を作製する工程、
２：上記１の工程において作製された細胞を、放射線照射された動物に投与ないし移植し、後に当該動物の骨髄からＭＬＬ／ＡＦ９遺伝子が過剰発現する細胞を採取する工程、
３：上記２の工程において採取された細胞を、上記２の工程で動物に照射された放射線よりも弱い放射線を照射された動物に投与ないし移植し、後に当該動物の骨髄からＭＬＬ／ＡＦ９キメラ遺伝子が過剰発現する細胞を採取する工程、および
４：必要に応じて、徐々に動物に照射する放射線量を弱めながら、免疫応答性の動物に投与ないし移植することができるまで上記３の工程を１回以上繰り返す工程。
【請求項３】
動物が、マウスまたは造血幹細胞の移植が可能な動物である、請求項１または２に記載のスクリーニング方法。
【請求項４】
造血器腫瘍が急性白血病である、請求項１〜３のいずれか一項に記載のスクリーニング方法。
【請求項５】
ＳＭＳ２遺伝子がノックアウトされている免疫応答性の動物に、ＭＬＬ／ＡＦ９キメラ遺伝子が過剰発現する造血幹細胞が移植されていることを特徴とする、病態モデル動物。
【請求項６】
次の１〜５の工程を含む方法により作製される、請求項５に記載の病態モデル動物。
１：動物の骨髄細胞に含まれる造血幹細胞を採取し、かかる幹細胞にＭＬＬ／ＡＦ９キメラ遺伝子を移入し、当該遺伝子が過剰発現する細胞を作製する工程、
２：上記１の工程において作製された細胞を、放射線照射された動物に投与ないし移植し、後に当該動物の骨髄からＭＬＬ／ＡＦ９遺伝子が過剰発現する細胞を採取する工程、
３：上記２の工程において採取された細胞を、上記２の工程で動物に照射された放射線よりも弱い放射線を照射された動物に投与ないし移植し、後に当該動物の骨髄からＭＬＬ／ＡＦ９キメラ遺伝子が過剰発現する細胞を採取する工程、
４：必要に応じて、徐々に動物に照射する放射線量を弱めながら、免疫応答性の動物に投与ないし移植することができるまで上記３の工程を１回以上繰り返す工程、および
５：上記３または４の工程において採取された細胞を、ＳＭＳ２遺伝子がノックアウトされた放射線照射されていない免疫応答性の動物に投与ないし移植する工程。
【請求項７】
動物が、マウスまたは造血幹細胞の移植が可能な動物である、請求項５または６に記載の病態モデル動物。
【請求項８】
請求項５〜７のいずれか一項に記載の病態モデル動物を用いることを特徴とする、造血器腫瘍の治療のための候補薬物を見出すためのスクリーニング方法。
【請求項９】
造血器腫瘍が急性白血病である、請求項８に記載のスクリーニング方法。
【請求項１０】
ＳＭＳ２阻害薬、抗ＳＭＳ２抗体、またはＳＭＳ２遺伝子を欠損させたヒト骨髄細胞もしくは免疫細胞を有効成分として含有することを特徴とする、造血器腫瘍治療剤。
【請求項１１】
造血器腫瘍が急性白血病である、請求項１０に記載の造血器腫瘍治療剤。
【請求項１２】
次の１〜４の工程を含むことを特徴とする、造血器腫瘍の治療方法。
１：ヒトの骨髄細胞または免疫細胞を採取する工程、
２：採取した骨髄細胞または免疫細胞のＳＭＳ２遺伝子を欠損させる工程、
３：当該遺伝子を欠損させた細胞を増殖する工程、および
４：増殖した細胞を患者に移植ないし投与する工程。
【請求項１３】
造血器腫瘍が急性白血病である、請求項１２に記載の治療方法。
【発明の詳細な説明】
【技術分野】
【０００１】
本発明は、造血器腫瘍治療剤、およびそのスクリーニング方法の技術分野に属する。本発明は、ＳＭＳ（スフィンゴミエリン合成酵素）２の機能を抑制することができる薬物等（例えば、ＳＭＳ２阻害薬、抗ＳＭＳ２抗体）を有効成分として含有することを特徴とする造血器腫瘍治療剤、およびそのためのＳＭＳ２阻害薬を見出すためのスクリーニング方法に関するものである。
【背景技術】
【０００２】
造血器腫瘍である白血病は、血液細胞の一種である白血球が腫瘍化し白血病細胞となり、無制限に増殖する白血病細胞が、正常の赤血球、白血球、血小板等の産生を抑制し、貧血、感染症、出血などを引き起こす疾患である。白血病には急性白血病と慢性白血病があるが、特に難治性白血病である急性白血病の進行は非常に早く、早期の治療が行われなければ、僅か数ヶ月で患者は死へ至る。急性白血病としては、急性骨髄腫白血病（ＡＭＬ）、急性リンパ性白血病（ＡＬＬ）などが知られている。ＡＭＬは成人に多い予後不良な悪性の血液疾患であり、５年生存率は４０％程度である。
【０００３】
現在、最も一般的に行われている急性白血病の治療法は、ＴＣＫ（Ｔｏｔａｌ  ｃｅｌｌ  ｋｉｌｌ）と言われる方法であり、例えば、ＡＭＬではキロサイド（登録商標）、ＡＬＬではアントラサイクリンなどの抗がん剤により白血病細胞を正常骨髄細胞とともに死滅させる方法である。白血病細胞は抗がん剤に感受性が高いため、当該治療を繰り返すことにより、白血病細胞を完全に根絶させることができる。このような化学療法は非常に有効であるが、抗がん剤の副作用のため、患者には非常に負担が大きい。
【０００４】
特許文献１には、化合物Ｎ−［２−（２，１，３−ベンゾチアジアゾール−５−イルアミノ）−６−（２，６−ジクロロフェニル）ピリド［２，３−ｄ］ピリミジン−７−イル］−Ｎ’−（１，１−ジメチルエチル）−尿素またはこの水和物、塩もしくは溶媒和物と、少なくとも１種の医薬として許容可能な賦形剤とを含む、ＡＭＬなどの骨髄性白血病の治療用の医薬組成物が開示されている。当該医薬組成物は、従来の抗がん剤の治療法の代替療法として開発されたものであるが、抗がん剤を含有する医薬組成物であるため、上記と同様の副作用が懸念される。
【０００５】
ところで、ＭＬＬ／ＡＦ９キメラ遺伝子は、ＭＬＬ（ｍｉｘｅｄ  ｌｉｎｋａｇｅ  ｌｅｕｃｅｍｉａ）遺伝子とＡＦ９（ＡＬＬ１  ｆｕｓｅｄ  ｇｅｎｅ  ｆｒｏｍ  ｃｈｒｏｍｏｓｏｍｅ  ９）遺伝子とが、染色体転座によって融合することにより生じたキメラ遺伝子である。かかるキメラ遺伝子は、造血器腫瘍、特にＡＭＬにおいて遺伝子発現量の増加が観察される。
当該遺伝子を人為的に造血器細胞に過剰発現させることにより、造血器細胞を腫瘍化できることが知られている（非特許文献１）。
【０００６】
急性白血病の研究には、その病態モデル動物、主にマウスが使用されている。病態モデルマウスは、例えば、発がん作用を有する上記ＭＬＬ／ＡＦ９キメラ遺伝子等を過剰発現させた白血病細胞を、レシピエントマウスに移植することにより作製されるが、移植による白血病細胞の免疫拒絶を回避するため、レシピエントは、例えば放射線照射された免疫不全マウスであることが一般的である。
しかしながら、免疫不全マウスは、骨髄微小環境を有する免疫応答性（ｉｍｍｕｎｏｃｏｍｐｅｔｅｎｔ）の動物ではないため、腫瘍免疫活性を活用した治療法の研究には適さない。
【０００７】
ＳＭＳは、ホスファチジルコリンのリン酸コリン部分をセラミドに転移してスフィンゴミエリンを生成するとともに、ジアシルグリセロールを生成する酵素である。ＳＭＳは、ヒトでは細胞内での局在の異なるＳＭＳ１とＳＭＳ２の２つのホモログが知られている。
腫瘍とＳＭＳの関係については、ＳＭＳ１の欠損状態ががん細胞増殖抑制や遊走促進などに関与するが、ＳＭＳ２のがん細胞機能への関与は少ないという報告がある（非特許文献２、３）。また、動物個体におけるＳＭＳ１やＳＭＳ２の病理的意義については、様々なマウス疾患モデルがＳＭＳ１やＳＭＳ２の遺伝子欠損（ＫＯ）マウスで実験され、ＳＭＳ１欠損による難聴、耐糖能異常などが報告され、ＳＭＳ２欠損では動脈硬化症や脂肪肝の抑制が報告されている（非特許文献４）。
【先行技術文献】
【特許文献】
【０００８】
【特許文献１】特表２０１０−５１４７４３号公報
【非特許文献】
【０００９】
【非特許文献１】Nature, Vol 442, 17 August 2006, doi:10.1038/nature04980
【非特許文献２】Molecular and Cell Biology, 32(16): 3242-52, 2012
【非特許文献３】J. Biol. Chem., 286(41): 36053-62., 2011
【非特許文献４】疾患モデルの作成とその利用−脂質代謝異常と関連疾患：下巻（モデル動物利用マニュアルシリーズ）、第６章第８節、谷口真、岡崎俊朗、p348-357、エル・アイ・シー
【発明の概要】
【発明が解決しようとする課題】
【００１０】
難治性腫瘍の白血病の発症、進展の阻止には白血病細胞の増殖抑制のみならず、抗腫瘍活性を担う骨髄微小環境細胞（Ｂ細胞，Ｔ細胞，ＮＫ細胞や骨髄由来免疫抑制細胞（ＭＤＳＣ）など）の制御、特に細胞障害性Ｔ細胞（ＣＴＬ）の活性化やＭＤＳＣの抑制が必須である。近年、ＣＴＬを抑制するＰＤ１／ＰＤＬ系を抗体により阻害する事で抗腫瘍活性を復活する治療法が、肺がんやメラノーマで臨床応用され、白血病においても腫瘍免疫療法の有用性が実証されている。
上述のＴＣＫのように、白血病細胞と共に正常造血細胞を死滅させることで患者の免疫機能を抑制してしまう療法だけでなく、患者自身の抗腫瘍免疫を利用した、難治性白血病に対する新規の抗腫瘍活性を亢進した治療法の開発が不可欠である。
本発明は、造血器腫瘍（特にＡＭＬやＡＬＬ等の急性白血病）の治療に有効な新規な造血器腫瘍治療剤を提供すること、またはその治療薬を見出すためのスクリーニング方法を提供することを主な課題とする。
【課題を解決するための手段】
【００１１】
本発明者らは、上記課題を解決するために鋭意研究した結果、ＳＭＳ２が造血器腫瘍に関係すること、およびＳＭＳ２の機能を阻害することにより抗腫瘍免疫が亢進され、造血器腫瘍を治療し得ることを見出し、本発明に到達した。
【００１２】
本発明として、例えば、以下のものを挙げることができる。
［１］ＭＬＬ／ＡＦ９キメラ遺伝子が過剰発現する造血幹細胞を移植された免疫応答性の病態モデル動物を用いて、造血器腫瘍の治療のためのＳＭＳ２阻害薬を見出すことを特徴とする、スクリーニング方法。
［２］前記造血幹細胞が、次の１〜４の工程を含む方法により樹立されたものである、上記［１］に記載のスクリーニング方法。
１：動物の骨髄細胞に含まれる造血幹細胞を採取し、かかる幹細胞にＭＬＬ／ＡＦ９キメラ遺伝子を移入し、当該遺伝子が過剰発現する細胞を作製する工程、
２：上記１の工程において作製された細胞を、放射線照射された動物に投与ないし移植し、後に当該動物の骨髄からＭＬＬ／ＡＦ９遺伝子が過剰発現する細胞を採取する工程、
３：上記２の工程において採取された細胞を、上記２の工程で動物に照射された放射線よりも弱い放射線を照射された動物に投与ないし移植し、後に当該動物の骨髄からＭＬＬ／ＡＦ９キメラ遺伝子が過剰発現する細胞を採取する工程、および
４：必要に応じて、徐々に動物に照射する放射線量を弱めながら、免疫応答性の動物に投与ないし移植することができるまで上記３の工程を１回以上繰り返す工程。
［３］動物が、マウスまたは造血幹細胞の移植が可能な動物である、上記［１］または［２］に記載のスクリーニング方法。
［４］造血器腫瘍が急性白血病である、上記［１］〜［３］のいずれか一項に記載のスクリーニング方法。
【００１３】
［５］ＳＭＳ２遺伝子がノックアウトされている免疫応答性の動物に、ＭＬＬ／ＡＦ９キメラ遺伝子が過剰発現する造血幹細胞が移植されていることを特徴とする、病態モデル動物。
［６］次の１〜５の工程を含む方法により作製される、上記［５］に記載の病態モデル動物。
１：動物の骨髄細胞に含まれる造血幹細胞を採取し、かかる幹細胞にＭＬＬ／ＡＦ９キメラ遺伝子を移入し、当該遺伝子が過剰発現する細胞を作製する工程、
２：上記１の工程において作製された細胞を、放射線照射された動物に投与ないし移植し、後に当該動物の骨髄からＭＬＬ／ＡＦ９遺伝子が過剰発現する細胞を採取する工程、
３：上記２の工程において採取された細胞を、上記２の工程で動物に照射された放射線よりも弱い放射線を照射された動物に投与ないし移植し、後に当該動物の骨髄からＭＬＬ／ＡＦ９キメラ遺伝子が過剰発現する細胞を採取する工程、
４：必要に応じて、徐々に動物に照射する放射線量を弱めながら、免疫応答性の動物に投与ないし移植することができるまで上記３の工程を１回以上繰り返す工程、および
５：上記３または４の工程において採取された細胞を、ＳＭＳ２遺伝子がノックアウトされた放射線照射されていない免疫応答性の動物に投与ないし移植する工程。
［７］動物が、マウスまたは造血幹細胞の移植が可能な動物である、上記［５］または［６］に記載の病態モデル動物。
【００１４】
［８］上記［５］〜［６］のいずれか一項に記載の病態モデル動物を用いることを特徴とする、造血器腫瘍の治療のための候補薬物を見出すためのスクリーニング方法。
［９］造血器腫瘍が急性白血病である、上記［８］に記載のスクリーニング方法。
【００１５】
［１０］ＳＭＳ２阻害薬、抗ＳＭＳ２抗体、またはＳＭＳ２遺伝子を欠損させたヒト骨髄細胞もしくは免疫細胞を有効成分として含有することを特徴とする、造血器腫瘍治療剤。
［１１］造血器腫瘍が急性白血病である、上記［１０］に記載の造血器腫瘍治療剤。
【００１６】
［１２］次の１〜４の工程を含むことを特徴とする、造血器腫瘍の治療方法。
１：ヒトの骨髄細胞または免疫細胞を採取する工程、
２：採取した骨髄細胞または免疫細胞のＳＭＳ２遺伝子を欠損させる工程、
３：当該遺伝子を欠損させた細胞を増殖する工程、および
４：増殖した細胞を患者に移植ないし投与する工程。
［１３］造血器腫瘍が急性白血病である、上記［１２］に記載の治療方法。
【発明の効果】
【００１７】
本発明に係るスクリーニング方法によれば、抗腫瘍免疫活性を亢進させ、造血器腫瘍を治療し得るＳＭＳ２阻害薬を見出すことができる。また、造血器腫瘍を治療し得る造血器腫瘍治療剤を得ることができる。
本発明に係る造血器腫瘍治療剤は、特に、ＡＭＬなどの急性白血病に有用である。
【図面の簡単な説明】
【００１８】
【図１】本発明に係る病態モデルマウスの作製法の一例を示した模式図である。
【図２】本発明に係る病態モデルマウスに関する試験結果を表す。Ａ図は移植後の体重の変化率（％）を示す。Ｂ図は移植後の生存率（％）を示す。最薄実線は、腫瘍化された造血幹細胞（腫瘍化細胞）を１×１０４（個）投与した場合の結果を、中薄実線は、腫瘍化細胞を１×１０５（個）投与した場合の結果を、実線は、腫瘍化細胞を１×１０６（個）投与した場合の結果を、破線は、腫瘍化細胞を２×１０６（個）投与した場合の結果を、それぞれ示す。Ｃ図は脾臓の写真である。左写真は野生型マウスの脾臓を、右写真は本発明に係る病態モデルマウスの脾臓を、それぞれ示す。Ｄ図は脾臓重量／体重比（％）を表す。左カラムは野生型マウスの結果を、右カラムは本発明に係る病態モデルマウスの結果を、それぞれ示す。
【図３】腫瘍化細胞移植後１５日目の末梢血における血液細胞を染色した写真である。上２つの顕微鏡写真は野生型マウスの結果（左：倍率×１００、右：倍率×４００）を、下２つの写真は本発明に係る病態モデルマウスの結果（左：倍率×１００、右：倍率×４００）を、それぞれ示す。
【図４】本発明に係る病態モデルマウスにおける白血病細胞の病態を試験した結果を表す。Ａ図は骨髄（左）および脾臓細胞（右）における白血病細胞の数を示す。Ｂ図は各臓器の写真を示す。Ｃ図は各臓器における白血病細胞の数を示す。
【００１９】
【図５】本発明に係る、ＳＭＳ２遺伝子をノックアウトした（ＳＭＳ２−ＫＯ）病態モデルマウスに関する試験結果を表す。Ａ図は移植後の体重の変化率（％）を示す。Ｂ図は移植後の生存率（％）を示す。破線は、本発明に係るＳＭＳ２正常病態モデルマウスの結果を、２つの実線は、本発明に係るＳＭＳ２−ＫＯ病態モデルマウスを、それぞれ示す。Ｃ図は脾臓の写真である。左写真は本発明に係るＳＭＳ２正常病態モデルマウスの移植後１９日目の結果を、中写真は本発明に係るＳＭＳ２正常病態モデルマウスの移植後２１日目の結果を、本発明に係るＳＭＳ２−ＫＯ病態モデルマウスの移植後４１日目の結果を、それぞれ示す。Ｄ図は脾臓重量／体重比（％）を表すグラフである。左カラムは本発明に係るＳＭＳ２正常病態モデルマウスの結果を、中カラムと右カラムは本発明に係るＳＭＳ２−ＫＯ病態モデルマウスの結果を、それぞれ示す。
【図６】移植前にＸ線を照射し、腫瘍化細胞を移植したマウスと本発明に係るＳＭＳ２−ＫＯ病態モデルマウスの試験結果を表す。Ａ図は放射線照射後の体重の変化率（％）を示す。Ｂ図は移植後の生存率（％）を示す。薄破線と中薄実線は、ＳＭＳ２正常病態モデルマウスの結果を、破線と残りの実線は、ＳＭＳ２−ＫＯ病態モデルマウスの結果を、それぞれ示す。Ｃ図は生存時間（日）の比較を示す。
【００２０】
【図７】本発明に係るＳＭＳ２−ＫＯ病態モデルマウスに関する試験結果を表す。Ａ図は移植後の生存率（％）を示す。薄実線は、本発明に係るＳＭＳ２正常病態モデルマウスの結果を、実線は、本発明に係るＳＭＳ２−ＫＯ病態モデルマウスの結果を、それぞれ示す。Ｂ図は移植後２４日目の各組織の写真である。左写真は、本発明に係るＳＭＳ２正常病態モデルマウスの結果を、右写真は、本発明に係るＳＭＳ２−ＫＯ病態モデルマウスの結果を、それぞれ示す。Ｃ図は、各組織における白血病細胞数を表す。上図は、本発明に係るＳＭＳ２正常病態モデルマウスの結果を、下図は、本発明に係るＳＭＳ２−ＫＯ病態モデルマウスの結果を、それぞれ示す。左の４つの図は移植後１６日目の結果を、右の６つの図は死亡時または移植後２４日目の結果を、それぞれ示す。
【図８】フローサイトメトリーによる分析結果を表す。Ａ図はＭＤＳＣの量を、Ｂ図はＣＴＬの量を、それぞれ分析した結果を示す。上各図は、本発明に係るＳＭＳ２正常病態モデルマウスの結果を、下各図は、本発明に係るＳＭＳ２−ＫＯ病態モデルマウスの結果を、それぞれ示す。
【発明を実施するための形態】
【００２１】
１  本発明に係るスクリーニング方法
本発明に係るスクリーニング方法（本発明スクリーニング方法）は、ＭＬＬ／ＡＦ９キメラ遺伝子が過剰発現する造血幹細胞を移植された免疫応答性の病態モデル動物（以下、「本発明モデル動物」という。）を用いて、造血器腫瘍の治療のためのＳＭＳ２阻害薬を見出すことを特徴とする。
【００２２】
１．１  ＭＬＬ／ＡＦ９キメラ遺伝子が過剰発現する造血幹細胞
本発明モデル動物に移植された造血幹細胞は、ＭＬＬ／ＡＦ９キメラ遺伝子が過剰発現する。当該遺伝子を人為的に骨髄細胞に過剰発現させることにより、造血幹細胞を腫瘍化することができる。本発明モデル動物を作製するためのＭＬＬ／ＡＦ９キメラ遺伝子は、通常、ヒトの当該遺伝子であるが、ヒト以外の動物（例えば、マウス、ラット、モルモット、フェレット、ウサギ、イヌ、ネコ、イタチ、サル等の哺乳動物）の相当する遺伝子であってもよい。
【００２３】
造血幹細胞は、骨髄細胞中の１万〜１０万個に一つ程度の割合で存在する細胞であり、白血球（好中球、好酸球、好塩基球、リンパ球、単球、マクロファージ）、赤血球、血小板、肥満細胞、樹状細胞等を生み出す細胞である。したがって、造血幹細胞は、モデル動物（ドナー）の骨髄から採取した骨髄細胞に含まれており、かかる骨髄細胞をそのまま移植して本発明モデル動物を作製することができる。また、骨髄細胞をフローサイトメトリー等の従来の手法で選別ソート（例えば、ｃ−ｋｉｔ＋  Ｓｃａ−１＋  Ｌｉｎ−）した造血幹細胞を移植して本発明モデル動物を作製することもできる。
【００２４】
ここで「過剰発現する」とは、ベクター等を用いて細胞に遺伝子を導入し、遺伝子発現量が遺伝子未導入細胞に比較して増加していることを意味し、発現量そのものの増加量の程度は問題としない。
上記ベクターとしては、通常、ウイルスベクターが用いられる。ウイルスベクターとしては、例えば、レトロウイルスベクター、レンチウイルスベクター、アデノ随伴ウイルスベクター、アデノウイルスベクターが挙げられる。
【００２５】
本発明モデル動物は、ＭＬＬ／ＡＦ９キメラ遺伝子が過剰発現すればよく、ＭＬＬ／ＡＦ９キメラ遺伝子が単独発現するものでも、他の遺伝子も同時発現するものでもよいが、ＭＬＬ／ＡＦ９キメラ遺伝子が単独発現するものが好ましい。
【００２６】
１．２  免疫応答性の動物
本発明スクリーニング方法には、免疫応答性（ｉｍｍｕｎｏｃｏｍｐｅｔｅｎｔ）の動物が用いられる。免疫応答性の動物は、抗腫瘍活性を有する正常骨髄微小環境（Ｂ細胞，Ｔ細胞，ＮＫ細胞やＭＤＳＣなど）を保持する動物である。造血器腫瘍のモデル動物には、免疫不全動物を使用するのが一般的であるが、本発明スクリーニング方法においては免疫応答性の動物、例えば野生型の動物をレシピエントとして使用することができる。
【００２７】
ここで、本発明モデル動物の動物種としては、造血幹細胞の移植が可能な動物であれば特に制限されない。かかる動物としては、具体的には、例えば、マウス、ラット、モルモット、フェレット、ウサギ、イヌ、ネコ、イタチ、サル等の哺乳動物を挙げることができる。この中、マウスが好ましい。
【００２８】
１．３  造血幹細胞の移植
ＭＬＬ／ＡＦ９キメラ遺伝子が過剰発現する腫瘍化された造血幹細胞（以下、「腫瘍化細胞」という。）は、免疫応答性の動物に移植される。当該腫瘍化細胞が移植される部位としては、例えば、骨髄、血管内、リンパ節が挙げられる。腫瘍化細胞は、移植されることにより、主として、レシピエントの骨髄に生着し、レシピエントは造血器腫瘍を発病する。
【００２９】
１．４  造血器腫瘍の治療のためのＳＭＳ２阻害薬
本発明スクリーニング方法により、造血器腫瘍の治療のためのＳＭＳ２阻害薬を見出すことができる。当該スクリーニングは、通常、複数の候補薬物を本発明モデル動物に投与し、その効果効能を比較することにより行われ、有効性のあるＳＭＳ２阻害薬が選別される。
【００３０】
本発明スクリーニング方法が対象とする造血器腫瘍としては、造血器細胞の腫瘍であれば特に制限されないが、例えば、急性白血病を挙げることができる。急性白血病としては、例えば、急性骨髄性白血病（ＡＭＬ）、急性リンパ性白血病（ＡＬＬ）、骨髄異形性症候群（ＭＤＳ）、乳児白血病、二次性白血病が挙げられる。
【００３１】
本発明スクリーニング方法によりスクリーニングされる候補薬物としては、ＳＭＳ２の阻害作用を有しうるものであれば特に制限されないが、例えば、ＳＭＳ２の阻害作用を有しうる、低分子化合物、抗体を挙げることができる。本発明スクリーニング方法においては、候補薬物を本発明モデル動物に投与し、ＳＭＳ２の阻害作用、抗腫瘍免疫活性、造血器腫瘍の治療効果等を調べることにより、造血器腫瘍の治療に有効なＳＭＳ２阻害薬をスクリーニングすることができる。また、既知のＳＭＳ２阻害薬の中から、より有効な薬物を選別するために本発明スクリーニング方法を用いることもできる。
【００３２】
２  本発明に係る腫瘍化細胞
腫瘍化細胞は、次の１〜４の工程を含む方法により樹立されたもの（以下、「本発明腫瘍化細胞」という。）であることが好ましい（図１参照）。なお、動物の定義等は、前述と同義である。
１：動物の骨髄細胞に含まれる造血幹細胞を採取し、かかる幹細胞にＭＬＬ／ＡＦ９キメラ遺伝子を移入し、当該遺伝子が過剰発現する細胞を作製する工程、
２：上記１の工程において作製された細胞を、放射線照射された動物に移植し、後に当該動物の骨髄からＭＬＬ／ＡＦ９遺伝子が過剰発現する細胞を採取する工程、
３：上記２の工程において採取された細胞を、上記２の工程で動物に照射された放射線よりも弱い放射線を照射された動物に投与ないし移植し、後に当該動物の骨髄からＭＬＬ／ＡＦ９キメラ遺伝子が過剰発現する細胞を採取する工程、および
４：必要に応じて、徐々に動物に照射する放射線量を弱めながら、免疫応答性の動物に投与ないし移植することができるまで上記３の工程を１回以上繰り返す工程。
【００３３】
以下、それぞれの工程について詳述する。
【００３４】
（１）第１工程
第１工程は、動物の骨髄細胞に含まれる造血幹細胞を採取し、かかる幹細胞にＭＬＬ／ＡＦ９キメラ遺伝子を移入し、当該遺伝子が過剰発現する細胞を作製する工程である。
第１工程として、具体的には、例えば、次のような方法を挙げることができる。ＭＬＬ／ＡＦ９キメラ遺伝子を含むウイルスベクター（例、レトロウイルスベクター）をパッケージ細胞であるＰＬＡＴ−Ｅで増産する。一方、ドナー動物の造血幹細胞が含まれる骨髄細胞を採取し、必要に応じて、フローサイトメトリー等の従来の手法で選別ソートし、当該造血幹細胞にＭＬＬ／ＡＦ９キメラ遺伝子を含む前記ウイルスベクターを感染させることにより、ＭＬＬ／ＡＦ９キメラ遺伝子が過剰発現する第１工程の細胞を作製することができる。
【００３５】
（２）第２工程
第２工程は、第１工程において作製された細胞を、放射線照射された動物に投与ないし移植し、後に当該動物の骨髄からＭＬＬ／ＡＦ９遺伝子が過剰発現する細胞を採取する工程である。
【００３６】
レシピエント動物に放射線を照射することにより、当該動物の免疫機能が抑制され、免疫拒絶反応を引き起こすことなく、第１工程で得られた細胞を投与ないし移植することができ、定着させることができる。放射線としては、通常、Ｘ線が使用される。第２工程における放射線の照射量としては、レシピエント動物の種類などによって異なるが、致死量より少し低い量が好ましい。マウスの場合には、通常、Ｘ線量として１０Ｇｙ（グレイ）または９．５Ｇｙ程度である。
【００３７】
投与ないし移植する当該細胞数としては、レシピエント動物の種類などによって異なるが、例えばマウスの場合、１×１０３〜１×１０７（個）の範囲内が適当であり、１×１０５〜５×１０６（個）の高容量投与により移植成功率が向上する。１×１０３（個）より少ないと、レシピエントマウスにおいて当該造血器腫瘍細胞が十分に増加しないおそれがあり、１×１０７（個）より多いと、血管内腫瘍血栓のおそれがあるので適当でない。
【００３８】
続いて、第１工程で得られた細胞を、放射線照射したレシピエント動物に投与ないし移植した後、当該動物の骨髄からＭＬＬ／ＡＦ９遺伝子が過剰発現する細胞を採取する。当該投与ないし移植から第２工程の細胞の採取までの期間としては、レシピエント動物が死亡する直前が好ましく、レシピエント動物の種類などによって異なるが、例えばマウスの場合、ドナー細胞として１×１０５個のＭＭＬ／ＡＦ９発現骨髄細胞を用いた場合には４０〜７０日間が好ましい細胞採取期間となる。
【００３９】
（３）第３工程
第３工程は、第２工程において採取された細胞を、第２工程で動物に照射された放射線よりも弱い放射線を照射された動物に投与ないし移植し、後に当該動物の骨髄からＭＬＬ／ＡＦ９キメラ遺伝子が過剰発現する細胞を採取する工程である。
【００４０】
第２工程で得られた細胞は、第２工程と比較して弱い放射線を照射したレシピエント動物であっても、免疫拒絶反応を引き起こすことなく、第２工程で得られた細胞を投与ないし移植することができ、定着させることができる。第３工程における放射線の照射量としては、レシピエント動物の種類などによって異なるが、例えばマウスの場合、第２工程の照射量の３５〜８５％程度が適当であり、４５〜７５％程度が好ましく、５５〜６５％程度がより好ましい。
【００４１】
投与ないし移植する当該細胞数としては、レシピエント動物の種類などによって異なるが、
例えばマウスの場合、１×１０３〜１×１０７（個）の範囲内が適当であり、１×１０５〜５×１０６（個）の高容量投与により移植成功率が向上する。１×１０３（個）より少ないと、レシピエントマウスにおいて当該造血器腫瘍細胞が十分に増加しないおそれがあり、１×１０７（個）より多いと、血管内腫瘍血栓のおそれがあるので適当でない。
【００４２】
続いて、第２工程で得られた細胞を、放射線照射したレシピエント動物に投与ないし移植した後、当該動物の骨髄からＭＬＬ／ＡＦ９遺伝子が過剰発現する細胞を採取する。当該投与ないし移植から第３工程の細胞の採取までの期間としては、レシピエント動物が死亡する直前が好ましく、レシピエント動物の種類などによって異なるが、例えばマウスの場合、２５〜６０日間が適当であり、３０〜５０日間が好ましく、３５〜４５日間がより好ましい。
【００４３】
（４）第４工程
第４工程は、必要に応じて、徐々に動物に照射する放射線量を弱めながら第３工程を１回以上繰り返す工程である。
【００４４】
第３工程において採取された細胞を、放射線照射しない免疫応答性のレシピエント動物に投与ないし移植すると、免疫拒絶反応を引き起こす場合には、第４工程、即ち、徐々に動物に照射する放射線量を弱めながら第３工程を１回以上、通常は１〜５回程度まで、好ましくは１、２回程度繰り返す。第３工程において採取された細胞を、放射線照射しない免疫応答性のレシピエント動物に投与ないし移植しても、免疫拒絶反応を引き起こさない場合には、本工程を行う必要はない。
【００４５】
第４工程における放射線の照射量としては、レシピエント動物の種類などによって異なるが、例えばマウスの場合、第３工程または前工程の照射量の３５〜８５％程度が適当であり、４５〜７５％程度が好ましく、５５〜６５％程度がより好ましい。
【００４６】
投与ないし移植する細胞数としては、レシピエント動物の種類などによって異なるが、例えばマウスの場合、１×１０３〜１×１０７（個）の範囲内が適当であり、１×１０５〜５×１０６（個）の高容量投与により移植成功率が向上する。１×１０３（個）より少ないと、レシピエントマウスにおいて当該造血器腫瘍細胞が十分に増加しないおそれがあり、１×１０７（個）より多いと、血管内腫瘍血栓のおそれがあるので適当でない。
【００４７】
第４工程を行う場合、第３工程または前工程で得られた細胞を、放射線照射したレシピエント動物に投与ないし移植した後、当該動物の骨髄からＭＬＬ／ＡＦ９遺伝子が過剰発現する細胞を採取する。当該投与ないし移植から第４工程の細胞の採取までの期間としては、レシピエント動物が死亡する直前が好ましく、レシピエント動物の種類などによって異なるが、例えば、マウスの場合、２５〜６０日間が適当であり、３０〜５０日間が好ましく、３５〜４５日間がより好ましい。
【００４８】
第３工程または本工程により、放射線を照射しない免疫応答性のレシピエント動物であっても、免疫拒絶反応を引き起こすことなく、投与ないし移植することができ、また定着させることができる本発明腫瘍化細胞を得ることができる。
【００４９】
上述の方法により樹立された本発明腫瘍化細胞は、動物への移植に際して、免疫拒絶反応が抑制されており、免疫応答性の動物に移植することができる。また、本発明腫瘍化細胞が移植された動物は、ＭＬＬ／ＡＦ９遺伝子が単独で過剰発現し、免疫応答性を有しながら白血病等の造血器腫瘍を発症させることができる。
したがって、本発明腫瘍化細胞を移植された動物は、造血器腫瘍の病態モデル動物として有用である。
なお、免疫応答性の動物への本発明腫瘍化細胞の投与ないし移植する細胞数としては、レシピエント動物の種類などによって異なるが、例えばマウスの場合、１×１０３〜１×１０７（個）の範囲内が適当であり、１×１０４〜１×１０６（個）の範囲内が好ましく、１×１０５〜５×１０６（個）の範囲内がより好ましい。１×１０３（個）より少ないと、レシピエントマウスにおいて当該造血器腫瘍細胞が十分に増加せず、造血器腫瘍を発病しないおそれがあり、１×１０７（個）より多いと、血管内腫瘍血栓のおそれがあるので適当でない。
【００５０】
３  ＳＭＳ２遺伝子がノックアウトされている病態モデル動物
本発明は、ＳＭＳ２遺伝子がノックアウトされている免疫応答性の動物に、ＭＬＬ／ＡＦ９キメラ遺伝子が過剰発現する造血幹細胞が移植されていることを特徴とする病態モデル動物（以下、「本発明ＳＭＳ２−ＫＯ動物」という。）を含む。
【００５１】
本発明ＳＭＳ２−ＫＯ動物は、ＳＭＳ２遺伝子がノックアウトされているだけで、免疫機能を保持している。しかも、後述する試験例から明らかな通り、腫瘍免疫が亢進しており、ＣＴＬの増強とＭＤＳＣの抑制が同時に確認され、その結果、腫瘍化細胞が移植されていても、ＳＭＳ２遺伝子がノックアウトされていない動物と異なり、造血器腫瘍の発病が抑えられ、延命できることを本発明者らは見出した。したがって、ＳＭＳ２の機能を、例えばＳＭＳ２阻害薬などで抑制することより、急性白血病等の造血器腫瘍を治療しうる。
【００５２】
本発明ＳＭＳ２−ＫＯ動物としては、例えば、次の１〜５の工程を含む方法により作製されるものが好ましい。なお、動物の定義等は、前述と同義である。
１：動物の骨髄細胞に含まれる造血幹細胞を採取し、かかる幹細胞にＭＬＬ／ＡＦ９キメラ遺伝子を移入し、当該遺伝子が過剰発現する細胞を作製する工程、
２：上記１の工程において作製された細胞を、放射線照射された動物に投与ないし移植し、後に当該動物の骨髄からＭＬＬ／ＡＦ９遺伝子が過剰発現する細胞を採取する工程、
３：上記２の工程において採取された細胞を、上記２の工程で動物に照射された放射線よりも弱い放射線を照射された動物に投与ないし移植し、後に当該動物の骨髄からＭＬＬ／ＡＦ９キメラ遺伝子が過剰発現する細胞を採取する工程、
４：必要に応じて、徐々に動物に照射する放射線量を弱めながら、免疫応答性の動物に投与ないし移植することができるまで上記３の工程を１回以上繰り返す工程、および
５：上記３または４の工程において採取された細胞を、ＳＭＳ２遺伝子がノックアウトされた放射線照射されていない免疫応答性の動物に投与ないし移植する工程。
【００５３】
上記第１工程〜第４工程までは、前述の項目２と同様である。第１工程〜第４工程までの動物は、ＳＭＳ２遺伝子が正常発現していることが好ましい。
第１工程〜第４工程により樹立された腫瘍化細胞（本発明腫瘍化細胞）を、ＳＭＳ２遺伝子がノックアウトされた放射線照射されていない免疫応答性の動物に投与ないし移植することにより、本発明ＳＭＳ２−ＫＯ動物を作製することができる（第５工程）。
【００５４】
ＳＭＳ２遺伝子がノックアウトされた放射線照射されていない免疫応答性の動物への投与ないし移植する細胞数としては、レシピエント動物の種類などによって異なるが、例えばマウスの場合、１×１０３〜１×１０７（個）の範囲内が適当であり、１×１０４〜１×１０６（個）の範囲内が好ましく、１×１０５〜５×１０６（個）の範囲内がより好ましい。
【００５５】
本発明ＳＭＳ２−ＫＯ動物は、造血器腫瘍の治療のための候補薬物をスクリーニングするために用いることができる。本発明には、本発明ＳＭＳ２−ＫＯ動物を用いることを特徴とする、造血器腫瘍の治療のための候補薬物を見出すためのスクリーニング方法も含まれる。
【００５６】
本発明ＳＭＳ２−ＫＯ動物と当該遺伝子がノックアウトされていない通常のモデル動物（例、非ＳＭＳ２−ＫＯの本発明モデル動物）を用いて、本発明スクリーニング方法の結果を比較することにより、ＳＭＳ２阻害剤の候補薬物の効能効果が、ＳＭＳ２の阻害によるものであるということを、より明確にすることができる。また、本発明ＳＭＳ２−ＫＯ動物に、ＳＭＳ２阻害剤以外の抗腫瘍剤を投与することにより、ＳＭＳ２阻害剤と当該薬剤の併用効果を予測することもできる。
本発明ＳＭＳ２−ＫＯ動物を用いた本発明スクリーニング方法は、ＳＭＳ２阻害剤の実用化に向けた研究に有用である。
【００５７】
４  造血器腫瘍治療剤
本発明は、ＳＭＳ２阻害薬、抗ＳＭＳ２抗体、またはＳＭＳ２遺伝子を欠損させたヒト骨髄細胞もしくは免疫細胞を有効成分として含有することを特徴とする造血器腫瘍治療剤（以下、「本発明治療剤」という。）を含む。
【００５８】
後述する試験結果から明らかな通り、本発明ＳＭＳ２−ＫＯ動物は、造血器腫瘍（急性白血病）を十分に発症せず、延命することから、ＳＭＳ２の機能を抑制することができる、例えば、ＳＭＳ２阻害薬、抗ＳＭＳ２抗体、またはＳＭＳ２遺伝子を欠損させたヒト骨髄細胞もしくは免疫細胞は、造血器腫瘍の治療に有用である。
【００５９】
具体的なＳＭＳ２阻害薬としては、本発明スクリーニング方法で見出されるもの、ｉｎ  ｖｉｔｒｏでＳＭＳ２阻害活性が確認されるもの、または従来知られているものを挙げることができる。従来から知られているＳＭＳ２阻害薬としては、例えば、下の化学式に示すＤ６０９（Ｔｒｉｃｙｃｌｏｄｅｃａｎ−９−ｙｌ−ｘａｎｔｈｏｇｅｎａｔｅ）が挙げられる。
【００６０】
【化１】
2018162974.tif 000003
【００６１】
本発明治療剤に使用される抗ＳＭＳ２抗体としては、本発明スクリーニング方法で見出されるもの、ｉｎ  ｖｉｔｒｏでＳＭＳ２阻害活性が確認されるもの、または従来知られているものを挙げることができる。当該抗体は、ＳＭＳ２の酵素活性を阻害する阻害抗体であることが好ましい。
【００６２】
ＳＭＳ２阻害薬、抗ＳＭＳ２抗体、またはＳＭＳ２遺伝子を欠損させたヒト骨髄細胞もしくは免疫細胞を、例えば、いわゆるゲノム編集でＳＭＳ２遺伝子を欠損することにより得ることができる。患者自身から採取された骨髄細胞または免疫細胞を用いて、ＳＭＳ２遺伝子を欠損したものが好ましい。
上記ゲノム編集の方法としては、例えば、ＺＥＮ（ジンクフィンガーヌクレアーゼ）、ＴＡＬＥＮ（転写活性化様エフェクターヌクレアーゼ）、またはＣＲＩＳＰＲ／Ｃａｓ９（ｃｌｕｓｔｅｒｅｄ  ｒｅｇｕｌａｒｌｙ  ｉｎｔｅｒｓｐａｃｅｄ  ｓｈｏｒｔ  ｐａｌｉｎｄｒｏｍｉｃ  ｒｅｐｅａｔｓ  ／  ＣＲＩＳＰＲ  ａｓｓｏｃｉａｔｅｄ  ｐｒｏｔｅｉｎｓ）を用いた方法を挙げることができる。
【００６３】
５  本発明に係る造血器腫瘍の治療方法
本発明は、以下の工程を含むことを特徴とする造血器腫瘍の治療方法（以下、「本発明治療方法」という。）を含む。本発明治療方法は、造血器腫瘍の中でも急性白血病（例、ＡＭＬ、ＡＬＬ）の治療に用いることが好ましい。
１：ヒトの骨髄細胞または免疫細胞を採取する工程、
２：採取した骨髄細胞または免疫細胞のＳＭＳ２遺伝子を欠損させる工程、
３：当該遺伝子を欠損させた細胞を増殖する工程、および
４：増殖した細胞を患者に移植ないし投与する工程。
【００６４】
以下、それぞれの工程について詳述する。
【００６５】
第１工程は、ヒトの骨髄細胞を採取する工程である。
骨髄細胞または免疫細胞は、常法により、ヒトの骨髄から採取することができる。当該ヒトは、患者自身であっても、他者であってもよい。患者自身であることが好ましい。
【００６６】
第２工程は、第１工程で採取した骨髄細胞または免疫細胞のＳＭＳ２遺伝子を欠損させる工程である。
本工程は、例えば、いわゆるゲノム編集により行うことができる。かかるゲノム編集の方法としては、例えば、ＺＥＮ（ジンクフィンガーヌクレアーゼ）、ＴＡＬＥＮ（転写活性化様エフェクターヌクレアーゼ）、またはＣＲＩＳＰＲ／Ｃａｓ９（ｃｌｕｓｔｅｒｅｄ  ｒｅｇｕｌａｒｌｙ  ｉｎｔｅｒｓｐａｃｅｄ  ｓｈｏｒｔ  ｐａｌｉｎｄｒｏｍｉｃ  ｒｅｐｅａｔｓ  ／  ＣＲＩＳＰＲ  ａｓｓｏｃｉａｔｅｄ  ｐｒｏｔｅｉｎｓ）を用いた方法を挙げることができる。
【００６７】
第３工程は、第２工程でＳＭＳ２遺伝子を欠損させた細胞を増殖する工程である。
本工程は、生体外で常法により当該細胞を培養し、増殖することにより行うことができる。当該細胞の培養には、従来、骨髄細胞や免疫細胞の培養に使用されている方法を使用することができる。具体的には、例えば、免疫細胞を採取したヒト個体の血液から血清を分離して、約２０％の濃度で細胞培養液であるＲＰＭＩ１６４０などに混入した後、細胞増殖因子（ＩＬ２，ＩＬ６など）を追加添加してヒト免疫細胞培養液を作成し、腫瘍免疫作用をヒト体内で発現するために必要な細胞数を得るために培養を継続し、最終目標数の免疫細胞（例えば、１×１０８〜１×１０９個）を得る方法が挙げられる。
【００６８】
第４工程は、第３工程で増殖した細胞を患者に移植ないし投与する工程である。
増殖した当該細胞の患者への移植ないし投与は、常法により行うことができる。患者における当該移植ないし投与部位としては、例えば、患者の骨髄、血管、リンパ管が挙げられる。
増殖した当該細胞の患者への移植量ないし投与量は、患者の状態、移植ないし投与部位などによって異なり、既知のＤＬＩ（ドナーリンパ球注入）法などに基づき適宜設定される。
【００６９】
上述のように、ＳＭＳ２遺伝子を欠損させた骨髄細胞または免疫細胞を患者に移植ないし投与することにより、患者の抗腫瘍免疫活性が亢進し、抗腫瘍活性が発揮されるから、造血器腫瘍（特に急性白血病（例、ＡＭＬ、ＡＬＬ））を治療することができる。
【実施例】
【００７０】
以下、実施例、試験例等を用いて本発明をより詳細に説明するが、本発明はこれら実施例等に何ら限定されるものではない。
【００７１】
［実施例１］本発明腫瘍化細胞の作製
図１に示す手順のようにして、本発明腫瘍化細胞を作製した。
（１）ＭＬＬ／ＡＦ９キメラ遺伝子レトロウイルスの産生
トランスフェクションする１６〜２４時間前に、パッケージング細胞ＰＬＡＴ−Ｅを１０ｃｍ組織培養皿に３×１０６まいた。遺伝子導入用ベクターであるＭＬＬ／ＡＦ９キメラ遺伝子を持つレトロウイルスベクターｐＭＳＣＶ−ＭＬＬ／ＡＦ９−ＩＲＥＳ−ＧＦＰＩＩ  １０μｇ、Ｌｉｐｏｆｅｃｔａｍｉｎｅ３０００（Ｔｈｅｒｍｏ  Ｆｉｓｈｅｒ  Ｓｃｉｅｎｔｉｆｉｃ社製）３０μＬ、Ｐ３０００  ｒｅａｇｅｎｔ  ２０μＬを１．０ｍＬのＯｐｔｉ−ＭＥＭ培地（Ｔｈｅｒｍｏ  Ｆｉｓｈｅｒ  Ｓｃｉｅｎｔｉｆｉｃ社製）に混合し、２０分おいた。その後、これを、パッケージング細胞をまいた１０ｃｍ皿にゆっくり加えた。培養開始から４８時間後に培養上清を１０ｍＬシリンジで回収し、０．４５μｍフィルターに通した。Ｒｅｔｒｏ−Ｘ  Ｃｏｎｃｅｎｔｒａｔｏｒ（タカラバイオ社製）１／３量を加え転倒混和後４℃に一晩置き、１，５００×ｇで４５分間遠心した。沈殿物をＳＦ−０３培地（エーディア社製）８０〜１００μＬに懸濁し濃縮ウイルス液とした。
【００７２】
（２）骨髄細胞回収とレトロウイルス感染
安楽死させた８〜１０週齢マウスの大骸骨、脛骨、上腕骨を取り出し、２６Ｇ注射針とシリンジを用いて、ＤＭＥＭを骨内に５〜１０回通すことで骨髄細胞を回収し、２００μｍメッシュを通した後、１，２００ｒｐｍで５分間遠心した。上清を除き、ＤＭＥＭ培地４ｍＬに懸濁後、Ｌｙｍｐｈｏｐｒｅｐ（コスモバイオ社製）４ｍＬに重層し、１，８００ｒｐｍで２０分遠心した。中間層の単核球分画を回収し、Ｄ−ＰＢＳ（−）１３ｍＬを加え、１，２００ｒｐｍで５分間遠心し、１％ＢＳＡ、０．１μｇ／ｍＬ  ｒｈＴＰＯ（和光純薬工業社製）および０．１μｇ／ｍＬのＳＣＦ（和光純薬工業社製）を加えたＳＦ−０３培地に懸濁して骨髄細胞液とした。
【００７３】
レトロウイルス感染を行う２４時間以上前にＲｅｔｒｏＮｅｃｔｉｎ（タカラバイオ社）２０μｇ／ｍＬを加えたＤ−ＰＢＳ（−）１００μＬを９６穴プレートに加え、室温で２時間静置後、上清を除き、２％ＢＳＡを加えたＤ−ＰＢＳ（−）１００μＬを加え、室温で３０分静置した。その後上清を除き、ＲｅｔｒｏＮｅｃｔｉｎコートプレートとして４℃で遮光保存した。レトロウイルス感染を行う２時間以上前に、濃縮レトロウイルス液４０〜１００μＬをＲｅｔｒｏＮｅｃｔｉｎコートプレートに加え、１，０００×ｇで９０分間遠心した。遠心後上清を除き、骨髄細胞１×１０７をまき、３７℃で一晩培養することでレトロウイルス感染を行った。
【００７４】
（３）１ｓｔレシピエント病態モデルマウスの作製
骨髄移植を行う前日に、７〜１０週齢１ｓｔレシピエントマウスへ９〜１０Ｇｙ致死量放射線照射を行った。骨髄移植を行う当日に、安楽死させた８〜１０週齢ドナーマウスの大骸骨、脛骨、上腕骨より上記と同様の方法で骨髄細胞を採取し、ドナー骨髄細胞とした。レトロウイルス感染を行ったＭＬＬ／ＡＦ９レトロウイルス感染骨髄細胞１×１０６をドナー骨髄細胞１×１０６とＳＦ−０３培地中で混ぜ、２７Ｇ注射針とシリンジを用いてレシピエントマウスの尾静脈より注射を行った。
【００７５】
（４）２ｎｄ、３ｒｄレシピエント病態モデルマウスの作製
骨髄移植を行う前日に、７〜１０週齢２ｎｄレシピエントマウスへ６Ｇｙ半致死量放射線照射を行った。上記（３）と同様の方法により上記の骨髄移植を行った５６日目の１ｓｔレシピエント病態モデルマウスより骨髄細胞を採取後、フローサイトメトリーにより導入遺伝子を有する細胞（ＧＦＰ陽性）である腫瘍化細胞が存在することを確認した。回収した腫瘍化細胞を含む骨髄細胞をＳＦ−０３培地に懸濁し、２×１０６を２ｎｄレシピエントマウスへ尾静脈注射により骨髄移植した。
【００７６】
骨髄移植を行う前日に、７〜１０週齢３ｒｄレシピエントマウスへ４．５Ｇｙ非致死量放射線照射を行った。上記（３）と同様の方法により骨髄移植を行った４０日目の２ｎｄレシピエント病態モデルマウスより骨髄細胞を採取後、フローサイトメトリーにより導入遺伝子を有する細胞（ＧＦＰ陽性）である腫瘍化細胞が存在することを確認した。回収した腫瘍化細胞を含む骨髄細胞をＳＦ−０３培地に懸濁し、１×１０６を３ｒｄレシピエントマウスへ尾静脈注射により骨髄移植した。
【００７７】
（５）腫瘍化細胞の作製
上記（３）と同様の方法により骨髄移植を行った４０日目の３ｒｄレシピエントマウスより骨髄細胞を採取し、フローサイトメトリーにより、導入遺伝子を有する細胞（ＧＦＰ陽性）である腫瘍化細胞が存在することを確認した。回収した腫瘍化細胞を含む骨髄細胞をＳＦ−０３培地に懸濁することより、本発明腫瘍化細胞を作製した。
【００７８】
［実施例２］本発明モデルマウスの作製
実施例１で作製した本発明腫瘍化細胞１×１０４〜２×１０６（個）を７〜１０週齢４ｔｈレシピエントマウスへ尾静脈注射することにより本発明モデルマウス（ＡＭＬ−４ｔｈ）を作製した。
作製した本発明モデルマウスの体重、脾臓の重量、脾臓／体重量比、体重（ｂｏｄｙ  ｗｅｉｇｈｔ）、脾臓重量（ｓｐｌｅｅｎ）の解析、および血液検査（白血球数（ＷＢＣ）、赤血球数（ＲＢＣ）、血小板数（ＰＬＴ）など）を行った。その結果を表１および図２〜図４に示す。
【００７９】
表１および図２〜図４に示したように、本発明モデルマウス（ＡＭＬ−４ｔｈ、又はＷＴＡＭＬ−４ｔｈ）は、移植後の体重変化については、図２のように野生型コントロールマウスと比べて大差はないが、死亡前には急激な減少を認めた。ＭＬＬ／ＡＦ９遺伝子発現ベクターを感染させた１×１０６個の骨髄細胞の移植１５日後（ＷＴＡＭＬ−４ｔｈ）に末梢血中の白血球数が野生型（ＷＴ）マウスの１０４０／μＬから７万１７００／μＬへと著増した（表１参照）。白血病細胞はクラゲ蛍光タンパクであるＧＦＰ（緑色蛍光タンパク）を強制発現しており、細胞内の蛍光物質を測定できるフローサイトメーターを用いて、検体内の白血病細胞数を計測した。結果は、図４に示したように、移植１５日後にはフローサイトメトリー法による解析で、骨髄、脾臓での白血病細胞の増殖が９４％と６９％にそれぞれ認められた。移植２３日後には、腋窩リンパ節（ａｘｉｌｌａｒ  ｌｙｍｐｈ  ｎｏｄｅ）においても９５％の白血病細胞の増殖が認められ、脾臓（ｓｐｌｅｅｎ）の増大（６０ｍｇから３１８ｍｇへ）、貧血による骨の白色化が著明であった。これらの結果は、免疫応答性を有する野生型マウスでＭＬＬ／ＡＦ９過剰発現細胞の増殖によってヒト白血病発症モデルが作成できたことを示す。
【００８０】
【表１】
2018162974.tif 000004
【００８１】
［実施例３］本発明ＳＭＳ２−ＫＯマウスの作製
最後のレシピエントマウスがＳＭＳ２遺伝子をノックアウトしたマウスであること、また４ｔｈレシピエントマウスへの本発明腫瘍化細胞の投与量が５×１０５（個）であること以外は、実施例１、２と同様の手順で本発明ＳＭＳ２−ＫＯマウス（ＳＭＳ２−ＫＯ＃１、ＳＭＳ２−ＫＯ＃２）を作製した。そして、作製した本発明ＳＭＳ２−ＫＯマウスの体重、脾臓の重量、脾臓／体重量比などを解析、および血液検査を行った。その結果を表２、および図５に示す。
【００８２】
図５に示したように、造血器腫瘍（急性白血病）を発症する本発明モデルマウス（ＷＴ）では、ＳＭＳ２−ＫＯマウス（本発明ＳＭＳ２−ＫＯマウス）においても、野生型コントロールマウス（ＳＭＳ２正常発現の本発明モデルマウス（ＷＴ））においても、体重の変化はなかった（図５Ａ参照）。しかしながら、明らかに生存曲線がＳＭＳ２−ＫＯマウスでは＃１と＃２の２グループ共に有意に延長しており（図５Ｂ参照）、脾臓の増大により判定される白血病の脾臓への浸潤増殖は、ＳＭＳ２欠損状態で明らかに抑制されていた（図５Ｃ、Ｄ参照）。
【００８３】
表２に示したように、作成した血病発症モデルでは、野生型マウス（本発明モデルマウス：ＷＴＡＭＬ）に対してＳＭＳ２−ＫＯマウス（ＳＭＳ２−／−ＡＭＬ）の末梢血液中の白血球細胞数が３万６４００／μＬから２万８００／μＬに減少し、貧血の使用のヘモグロビンは１１．６ｇ／ｄＬから１３．６ｇ／ｄＬに回復し、血小板数は１１．１万／μＬから６８．７万／μＬに増加していた。これらの結果は、急性白血病がＳＭＳ２−ＫＯマウスでは全く発症していないわけではなく、一旦発症後に時間経過と共に白血病状態が回復することを示唆している。
【００８４】
【表２】
2018162974.tif 000005
【００８５】
一方、４ｔｈレシピエントマウスへの移植前の、Ｘ線照射（４．５Ｇｙ）を施行した３ｔｈレシピエントマウスに本発明腫瘍化細胞を移植して白血病を発症させたところ、図６に示すように、ＳＭＳ２遺伝子をノックアウトしていないコントロールマウス（ＳＭＳ２正常マウス、ＷＴ４．５Ｇｙ（ＭＬＬ／ＡＦ９非移植）又はＷＴＡＭＬ−３ｒｄ＋４．５Ｇｙ（ＭＬＬ／ＡＦ９移植））とＳＭＳ２−ＫＯマウス（ＳＭＳ２−ＫＯ４．５Ｇｙ（ＭＬＬ／ＡＦ９非移植）又はＳＭＳ２−ＫＯＡＭＬ−３ｒｄ＋４．５Ｇｙ（ＭＬＬ／ＡＦ９移植））との間で、生存期間の差異は見られなかった（図６Ｂ参照）。即ち、腫瘍免疫活性が抑制された放射線照射後には、免疫応答性（ｉｍｍｕｎｏｃｏｍｐｅｔｅｎｔ）のＳＭＳ２−ＫＯマウスで見られた白血病細胞の増殖抑制が認められておらず、ＳＭＳ２欠損状態での骨髄微小環境における抗腫瘍活性の亢進が、白血病の発症、進展に必須であることが確認された。言い換えれば、骨髄微小環境に起因する腫瘍に対する免疫応答性が、ＳＭＳ２−ＫＯによる白血病の抑制効果に重要であることが示された。
【００８６】
［試験例１］本発明ＳＭＳ２−ＫＯマウスにおける当該白血病細胞の骨髄への生着
本発明ＳＭＳ２−ＫＯマウスにおいて、本発明腫瘍化細胞が骨髄に生着しているか否かについて検討した。実験は、本発明腫瘍化細胞移植後に経時的に１６日ごと２４日後にマウスを安楽死することで、野生型とＳＭＳ２−ＫＯマウスにおける白血病の進展程度を評価することをフローサイトメトリー法による白血病細胞の計測と腫瘍免疫細胞であるＣＴＬと骨髄由来免疫抑制細胞（ＭＤＳＣ）の計測により行った。白血病細胞の骨髄（ＢＭＣｓ）と末梢血（ｂｌｏｏｄ）への浸潤は白血病細胞にタグ化したＧＦＰ（緑蛍光蛋白）の測定、またＣＴＬ（ＣＤ４陽性または非陽性（ＣＤ８陽性相当）細胞）とＭＤＳＣ（ＣＤ１１ｂとＧｒ１陽性細胞）を各種抗体によって測定した。その結果を図７、図８に示す。
【００８７】
移植１６日後と２４日後のマウスの白血病細胞の増殖を解析したところ、図７Ｃに示した通り、コントロール（ＳＭＳ２正常発現の本発明モデルマウス、ＷＴ又はＷＴＡＭＬ）群と本発明ＳＭＳ２−ＫＯマウス群（ＳＭＳ２−ＫＯＡＭＬ、又は２ＫＯＡＭＬ）では、ＳＭＳ２欠損状態での骨髄、末梢血、脾臓での白血病細胞浸潤の若干の低下が見られたが、移植したＭＬＬ／ＡＦ９過剰発現白血病細胞がＳＭＳ２欠損状態で生着不全を誘導する証拠は全く認められなかった。したがって、本発明ＳＭＳ２−ＫＯマウスにおいても、本発明腫瘍化細胞が骨髄に生着していることは明らかである。
【００８８】
［試験例２］本発明ＳＭＳ２−ＫＯマウスにおける骨髄微小環境の検討
試験例１で生存していた本発明ＳＭＳ２−ＫＯマウスから骨髄細胞を採取し、フローサイトメトリー法により骨髄微小環境を解析した。具体的な実験方法としては、各細胞に特異的な細胞表面抗原に対する選択的な蛍光化された抗体をフローサイトメーターで測定した。一般的には、ＣＴＬ（細胞障害性Ｔ細胞）は抗ＣＤ４抗体陽性細胞、もしくは抗ＣＤ８陽性（抗ＣＤ４陰性）であり、ＭＤＳＣ（骨髄由来抑制性細胞）は、抗ＣＤ１１ｂ陽性とＧｒ１陽性の二重陽性である。その結果を図８に示す。
【００８９】
図８に示したように、生存している本発明ＳＭＳ２−ＫＯマウス（ＳＭＳ２−ＫＯＡＭＬ）においては、抗腫瘍免疫効果の重要な細胞であるＣＤ８陽性ＣＴＬ（ＣＤ４陰性）が明らかにコントロール群に比較して３２％から６２％へ増加していた。また、がん微小環境におけるＭＤＳＣ（骨髄由来抑制性細胞）について、Ｇ−ＭＤＳＣ（ＣＤ１１ｂ陽性＋Ｇｒ１強陽性細胞）が２０％から３％へ、および、Ｍ−ＭＤＳＣ（（ＣＤ１１ｂ陽性＋Ｇｒ１弱陽性細胞）が２９％から９％へと顕著に減少していた。
このことは、ＳＭＳ２欠損状態で抗腫瘍免疫活性に必須のＣＴＬの増強とＭＤＳＣの抑制が同時に確認されたことを示している。
【００９０】
以上から、ＳＭＳ２の機能が抑制された免疫応答性の動物（ＳＭＳ２−ＫＯ野生型動物）においては、抗腫瘍免疫活性が増強され、造血器腫瘍の発病が抑制されることが明らかである。したがって、ＳＭＳ２の活性を何らかの手段で阻害することにより、例えば、ＳＭＳ２に対する低分子阻害剤や抗ＳＭＳ２抗体を投与することにより、難治性の造血器腫瘍（急性白血病（例、ＡＭＬ、ＡＬＬ））を治療しうることが明らかである。また、ＳＭＳ２欠損により抗腫瘍活性が亢進したＣＴＬを担がん個体（ヒト）に注入することにより、造血器腫瘍を治療しうることも明らかである。
【産業上の利用可能性】
【００９１】
本発明スクリーニング方法は、造血器腫瘍の治療のためのＳＭＳ２阻害薬を開発することにおいて有用である。また、ＳＭＳ２阻害薬などを有効成分として含有する造血器腫瘍治療剤は、造血器腫瘍の治療、特にＡＭＬなどの急性白血病の治療に有用である。
【図１】
2018162974.tif 000006
【図２】
2018162974.tif 000007
【図３】
2018162974.tif 000008
【図４】
2018162974.tif 000009
【図５】
2018162974.tif 000010
【図６】
2018162974.tif 000011
【図７】
2018162974.tif 000012
【図８】
2018162974.tif 000013